(57)【要約】【課題】アイコンの誤認を抑制できる表示装置を提供する。【解決手段】表示装置１は、選択部３と、生成部５と、登録部７と、表示部８とを備える。選択部３は、複数の印刷条件のうち一部の印刷条件を選択する。生成部５は、一部の印刷条件を表象する単数のアイコンＩａを生成する。登録部７は、複数の印刷条件とアイコンＩａとを関連付けて登録する。表示部８は、アイコンＩａを表示する。アイコンＩａが起動されることによって、アイコンＩａに関連付けて登録された複数の印刷条件が印刷装置に設定される。【選択図】図１
2015087862.tif 000002
【特許請求の範囲】
【請求項１】
複数の印刷条件のうち一部の印刷条件を選択する選択部と、
前記一部の印刷条件を表象する単数のアイコンを生成する生成部と、
前記複数の印刷条件と前記アイコンとを関連付けて登録する登録部と、
前記アイコンを表示する表示部と
を備える、表示装置。
【請求項２】
ユーザーからの入力を受け付ける入力部をさらに備え、
前記表示部は、前記アイコンが生成される前に、前記複数の印刷条件を表示し、
前記選択部は、前記入力に従って、前記一部の印刷条件を選択する、請求項１に記載の表示装置。
【請求項３】
前記複数の印刷条件は、それぞれ、複数の単位画像と対応しており、
前記表示部は、前記複数の印刷条件が表示される画面に、前記複数の単位画像を表示し、
前記生成部は、前記複数の単位画像のうち、前記一部の印刷条件と対応している一部の単位画像に基づいて前記アイコンを生成する、請求項２に記載の表示装置。
【請求項４】
前記表示部は、前記複数の印刷条件が表示される画面に、登録済みのアイコンを表示する、請求項２又は請求項３に記載の表示装置。
【請求項５】
ユーザーからの入力を受け付ける入力部をさらに備え、
前記表示部は、前記アイコンが生成される前に、前記複数の印刷条件を表示し、
前記選択部は、前記複数の印刷条件のうち前記入力に従った印刷条件と予め定められた条件に従った印刷条件とを前記一部の印刷条件として選択する、請求項１に記載の表示装置。
【請求項６】
前記選択部は、前記複数の印刷条件のうち予め定められた条件に従った印刷条件を前記一部の印刷条件として選択する、請求項１に記載の表示装置。
【請求項７】
印刷後の仕上がり状態を示す画像が格納される記憶部をさらに備え、
前記生成部は、前記印刷後の仕上がり状態を示す画像を加工して前記アイコンを生成する、請求項１から請求項６のいずれか１項に記載の表示装置。
【請求項８】
前記アイコンに関連付けて登録された前記複数の印刷条件を印刷装置に設定する設定部をさらに備える、請求項１から請求項７のいずれか１項に記載の表示装置。
【請求項９】
請求項１から請求項８のいずれか１項に記載の表示装置と、
前記印刷条件に従って、シートに画像を形成する画像形成部と
を備える、画像形成装置。
【請求項１０】
複数の印刷条件のうち一部の印刷条件を選択するステップと、
前記一部の印刷条件を表象する単数のアイコンを生成するステップと、
前記複数の印刷条件に関連付けて前記アイコンを登録するステップと、
前記アイコンを表示するステップと
を含む、表示方法。
【発明の詳細な説明】
【技術分野】
【０００１】
本発明は、表示装置、画像形成装置、及び表示方法に関する。
【背景技術】
【０００２】
特許文献１は情報処理装置を開示する。情報処理装置は、複数の印刷条件を選択し、選択した複数の印刷条件を表象するアイコンを作成する。情報処理装置は、作成したアイコンと選択した複数の印刷条件とを関連付けて登録する。従って、アイコンに関連付けられる印刷条件とアイコンの外観に反映される印刷条件とは一致する。情報処理装置は、アイコンに関連付けられた複数の印刷条件を印刷装置に自動的に設定する。
【０００３】
近年の印刷装置の高機能化に伴い、アイコンに多くの印刷条件が関連付けられ、アイコンによって多くの印刷条件が印刷装置に設定されることもある。
【先行技術文献】
【特許文献】
【０００４】
【特許文献１】特開２００２−１８２８７１号公報
【発明の概要】
【発明が解決しようとする課題】
【０００５】
しかしながら、アイコンに多くの印刷条件を関連付けると、多くの印刷条件がアイコンの外観に反映される。従って、アイコンのデザインが複雑化する。その結果、アイコンの誤認が発生する。
【０００６】
本発明は上記課題に鑑みてなされたものであり、その目的は、アイコンの誤認を抑制できる表示装置、画像形成装置、及び表示方法を提供することにある。
【課題を解決するための手段】
【０００７】
本発明の第１の観点によれば、表示装置は、選択部と、生成部と、登録部と、表示部とを備える。選択部は、複数の印刷条件のうち一部の印刷条件を選択する。生成部は、前記一部の印刷条件を表象する単数のアイコンを生成する。登録部は、前記複数の印刷条件と前記アイコンとを関連付けて登録する。表示部は、前記アイコンを表示する。
【０００８】
本発明の第２の観点によれば、画像形成装置は、上記第１の観点による表示装置と、画像形成部とを備える。画像形成部は、前記印刷条件に従って、シートに画像を形成する。
【０００９】
本発明の第３の観点によれば、表示方法は、複数の印刷条件のうち一部の印刷条件を選択するステップと、前記一部の印刷条件を表象する単数のアイコンを生成するステップと、前記複数の印刷条件に関連付けて前記アイコンを登録するステップと、前記アイコンを表示するステップとを含む。
【発明の効果】
【００１０】
本発明によれば、単数のアイコンに複数の印刷条件が関連付けられる一方、単数のアイコンの外観に反映される印刷条件は、複数の印刷条件のうち一部の印刷条件である。従って、多くの印刷条件をアイコンに関連付けつつ、アイコンのデザインの複雑化を抑制できる。その結果、アイコンの誤認を抑制できる。
【図面の簡単な説明】
【００１１】
【図１】本発明の実施形態１に係る表示装置を示す機能ブロック図である。
【図２】発明の実施形態１に係る表示装置が実行する表示方法を示すフローチャートである。
【図３】本発明の実施形態２に係る表示装置を示す機能ブロック図である。
【図４】本発明の実施形態２に係る表示装置によって設定される印刷条件を説明する図である。
【図５】本発明の実施形態２に係る表示装置が表示する印刷機能設定画面を示す図である。
【図６】本発明の実施形態２に係る表示装置が表示する印刷条件設定画面を示す図である。
【図７】本発明の実施形態２に係る表示装置が表示するアイコン作成画面を示す図である。
【図８】本発明の実施形態２に係る表示装置における印刷機能と印刷条件と識別情報と単位画像との関係を示す図である。
【図９】本発明の実施形態３に係る画像形成装置を示すブロック図である。
【図１０】本発明の実施形態３に係る画像形成装置の概略を説明するための模式的断面図である。
【発明を実施するための形態】
【００１２】
以下、本発明の実施形態について、図面を参照しながら説明する。なお、図中、同一または相当部分については同一の参照符号を付して説明を繰り返さない。
【００１３】
（実施形態１）
［基本原理］
図１を参照して、本発明の実施形態１に係る表示装置１について説明する。図１は、表示装置１を示す機能ブロック図である。表示装置１は、選択部３と、生成部５と、登録部７と、表示部８とを備える。選択部３は、複数の印刷条件（例えば、カラー、２ｉｎ１、片面、左２穴、２００％、及びＡ４）のうち一部の印刷条件（例えば、カラー、片面、及び左２穴）を選択する。
【００１４】
生成部５は、一部の印刷条件を表象する単数のアイコンＩａを生成する。従って、アイコンＩａの外観に一部の印刷条件を示す特徴が反映される。登録部７は、複数の印刷条件と関連付けてアイコンＩａを登録する。表示部８は、アイコンＩａを表示する。
【００１５】
選択部３、生成部５、及び登録部７は、コンピューター（不図示）がコンピュータープログラムを実行することによって実現される。表示部８は、例えば、液晶ディスプレー、又は有機ＥＬ（Ｅｌｅｃｔｒｏｌｕｍｉｎｅｓｃｅｎｃｅ）ディスプレーである。
【００１６】
本実施形態１によれば、単数のアイコンＩａに複数の印刷条件が関連付けられる一方、単数のアイコンＩａの外観に反映される印刷条件は、複数の印刷条件のうち一部の印刷条件である。従って、多くの印刷条件をアイコンＩａに関連付けつつ、アイコンＩａのデザインの複雑化を抑制できる。その結果、アイコンＩａの誤認を抑制できる。
【００１７】
［表示方法］
図１及び図２を参照して、表示装置１が実行する表示方法について説明する。表示方法は、ステップＳ１〜ステップＳ７を含む。ステップＳ１において、表示装置１は、複数の印刷条件のうち一部の印刷条件を選択する。ステップＳ３において、表示装置１は、一部の印刷条件を表象する単数のアイコンＩａを生成する。ステップＳ５において、表示装置１は、複数の印刷条件と関連付けてアイコンＩａを登録する。ステップＳ７において、表示装置１は、アイコンＩａを表示する。
【００１８】
［アイコンＩａの起動］
図１を参照して、アイコンＩａの起動について説明する。表示部８はアイコンＩａを表示する。アイコンＩａが起動されたことに応じて、アイコンＩａに関連付けられている複数の印刷条件が印刷装置（不図示）に設定される。印刷装置は、設定された複数の印刷条件に従って印刷処理を実行する。
【００１９】
例えば、表示部８の表示面上にタッチパネル（不図示）が配置されている場合は、アイコンＩａがタップ又はダブルタップされたことがタッチパネルに検出されたことに応じて、表示装置１はアイコンＩａを起動する。例えば、ポインティングデバイス（不図示）によって、アイコンＩａがクリック又はダブルクリックされたことに応じて、表示装置１はアイコンＩａを起動する。例えば、ポインティングデバイス（不図示）によって、アイコンＩａにドキュメントファイルがドラッグ及びドロップされたことに応じて、表示装置１はアイコンＩａを起動する。
【００２０】
なお、表示装置１は、例えば、印刷装置に搭載され、又は印刷装置に接続されるパーソナルコンピューター（不図示）に搭載される（後述する実施形態２においても同様）。印刷装置は、例えば、プリンター、複写機、又は複合機である。複合機は、例えば、複写機、プリンター、及びファクシミリのうち少なくとも２つの機器を備える。
【００２１】
以上、図１及び図２を参照して説明したように、本実施形態１によれば、多くの印刷条件をアイコンＩａに関連付けつつ、一部の印刷条件をアイコンＩａの外観に反映させることによって、アイコンＩａのデザインの複雑化を抑制できる。その結果、アイコンＩａの誤認を抑制できる。
【００２２】
（実施形態２）
［構成］
図３を参照して、本発明の実施形態２に係る表示装置１の構成について説明する。図３は、表示装置１を示すブロック図である。表示装置１は、図１に示す表示装置１の構成に加えて、入力部９、設定部１０、及び記憶部１１をさらに備える。なお、表示装置１によって生成されるアイコンは、実施形態１と同様に、アイコンＩａと記載する。
【００２３】
入力部９は、ユーザーからの入力を受け付ける。設定部１０は、初期値としてのＮ個の印刷条件（複数の印刷条件）を印刷装置（不図示）に設定する。又は、設定部１０は、入力部９が受け付けた入力に従って、印刷装置にＮ個の印刷条件を設定する。Ｎは２以上の整数である。
【００２４】
選択部３は、Ｎ個の印刷条件のうちＭ個の印刷条件（一部の印刷条件）を選択する。ＭはＮより小さい１以上の整数である。なお、選択部３は、Ｎ個の印刷条件の全部を選択することを禁止することもできる。生成部５は、Ｍ個の印刷条件を表象する単数のアイコンＩａを生成する。従って、アイコンＩａの外観にＭ個の印刷条件を示す特徴が反映される。
【００２５】
表示部８は、アイコンＩａを表示する。登録部７は、記憶部１１にＮ個の印刷条件と関連付けてアイコンＩａを登録する。従って、記憶部１１には、アイコンＩａがＮ個の印刷条件と関連付けられて登録（格納）される。
【００２６】
選択部３、生成部５、登録部７、及び設定部１０は、コンピューター（不図示）が記憶部１１に格納されたコンピュータープログラムを実行することによって実現される。入力部９は、例えば、タッチパネル、マウス、及びタッチパッドのようなポインティングデバイス、又はキーボードである。記憶部１１は、例えば、ＲＡＭ（Ｒａｎｄｏｍ  Ａｃｃｅｓｓ  Ｍｅｍｏｒｙ）及びフラッシュメモリーのような半導体メモリー、又はハードディスクドライブである。
【００２７】
以下、表示装置１の動作を詳細に説明するために、印刷条件、印刷条件の初期値、印刷条件の変更、アイコンＩａを作成するための画面の構成、アイコンＩａを作成するための画面の操作、アイコンＩａを構成する単位画像、及びアイコンＩａの起動について順番に説明する。
【００２８】
［印刷条件］
図４を参照して、印刷条件について説明する。図４は、印刷条件を説明する図である。印刷機能の具体的内容が印刷条件として印刷装置に設定される。印刷装置は複数の印刷機能を有する。複数の印刷機能のうちＮ個の印刷機能に対応するＮ個の印刷条件がアイコンＩａに関連付けられる。以下、本実施形態２では、説明の簡略化のため、Ｎが６である例を説明する。
【００２９】
６個の印刷機能は、カラーモード機能、集約機能、両面／片面機能、パンチ／ステープル機能、拡大／縮小機能、及び用紙選択機能である。
【００３０】
カラーモード機能は、複数の印刷条件（例えば、「白黒」及び「カラー」）を含む。集約機能は、複数の印刷条件（例えば、「２ｉｎ１」及び「４ｉｎ１」）を含む。両面／片面機能は、複数の印刷条件（例えば、「片面」及び「両面」）を含む。パンチ／ステープル機能は、複数の印刷条件（例えば、「左２穴」及び「右２穴」、並びに「左上綴じ」及び「右上綴じ」）を含む。拡大／縮小機能は、複数の印刷条件（例えば、「１００％」及び「２００％」）を含む。用紙選択機能は、複数の印刷条件（例えば、「Ａ４」及び「Ａ３」）を含む。
【００３１】
［印刷条件の初期値］
図３及び図４を参照して、印刷条件の初期値について説明する。６個の印刷機能に対応して、印刷条件の初期値として、「白黒」（カラーモード）を示す値、「なし」（集約）を示す値、「片面」（両面／片面）を示す値、「なし」（パンチ／ステープル）を示す値、「１００％」（拡大／縮小）を示す値、及び「Ａ４」（用紙選択）を示す値が、記憶部１１に格納される。従って、入力部９からの入力によって、印刷条件が変更されないかぎり、設定部１０は、印刷条件の初期値を印刷装置に設定する。
【００３２】
［印刷条件の変更］
図３〜図６を参照して、印刷条件の変更について説明する。図５は、表示部８が表示する印刷機能設定画面１３を示す図である。図６は、表示部８が表示する印刷条件設定画面１９を示す図である。ユーザーは、入力部９への入力により、印刷機能設定画面１３及び印刷条件設定画面１９を操作して、印刷条件を初期値から所望の値に変更する。以下、本実施形態２では、入力部９がタッチパネルである例を説明する。タッチパネルは表示部８の表示面上に配置される。
【００３３】
図５に示すように、表示部８は印刷機能設定画面１３を表示する。印刷機能設定画面１３は、６個の印刷機能に対応して、ボタン１３Ａ〜ボタン１３Ｆを含む。印刷機能設定画面１３は、アイコン作成ボタン１３Ｚ、ＯＫボタン１５、キャンセルボタン１７、及び適用ボタン１８をさらに含む。
【００３４】
ボタン１３Ａ〜ボタン１３Ｆは、それぞれ、カラーモード機能、集約機能、両面／片面機能、パンチ／ステープル機能、拡大／縮小機能、及び用紙選択機能の印刷条件を設定するためのボタンである。
【００３５】
図６に示すように、表示部８は、図５に示すボタン１３Ａがタップされたことに応じて、印刷条件設定画面１９を表示する。印刷条件設定画面１９は、カラーモード機能の印刷条件を設定するための画面である。印刷条件設定画面１９は、白黒ボタン１９Ａ、カラーボタン１９Ｂ、ＯＫボタン１５、キャンセルボタン１７、及び適用ボタン１８を含む。
【００３６】
白黒ボタン１９Ａがタップされ、その後、ＯＫボタン１５又は適用ボタン１８がタップされたことに応じて、設定部１０は、印刷条件を「白黒」を示す値に設定する。一方、カラーボタン１９Ｂがタップされ、その後、ＯＫボタン１５又は適用ボタン１８がタップされたことに応じて、設定部１０は、印刷条件を「カラー」を示す値に設定する。表示部８は、ＯＫボタン１５がタップされたことに応じて、図５に示す印刷機能設定画面１３を表示する。
【００３７】
図５に戻って、表示部８は、ボタン１３Ｂ〜ボタン１３Ｆのうちいずれかのボタンがタップされたことに応じて、タップされたボタンに対応する印刷条件設定画面（不図示）を表示する。そして、印刷条件設定画面に表示された複数の印刷条件に対応する複数のボタン（不図示）のいずれかがタップされ、その後、ＯＫボタン又は適用ボタンがタップされたことに応じて、設定部１０は、印刷条件をタップされたボタンに対応する値に設定する。
【００３８】
以上、ユーザーは、印刷機能設定画面１３、及び各種印刷条件設定画面（印刷条件設定画面１９を含む。）を通じて、印刷条件を初期値から所望の値に変更できる。
【００３９】
［アイコンＩａを作成するための画面の構成］
図３〜図７を参照して、アイコンＩａを作成するための画面（アイコン作成画面２１）の構成について説明する。図７は、アイコン作成画面２１を示す図である。印刷機能設定画面１３のアイコン作成ボタン１３Ｚがタップされたことに応じて、表示部８はアイコン作成画面２１を表示する。
【００４０】
以下、本実施形態２では、図４に示すように、ユーザーが、カラーモード機能の印刷条件を「白黒」から「カラー」に変更し、集約機能の印刷条件を「なし」から「２ｉｎ１」に変更し、パンチ／ステープル機能の印刷条件を「なし」から「左２穴」に変更し、拡大／縮小機能の印刷条件を「１００％」から「２００％」に変更する。そして、ユーザーが、アイコン作成ボタン１３Ｚをタップし、アイコＩａを作成する例を説明する。
【００４１】
図７に戻って、アイコン作成画面２１は、ボタン２１Ａ〜ボタン２１Ｆを含む。アイコン作成画面２１は、単位画像Ｕ０〜単位画像Ｕ５をさらに含む。アイコン作成画面２１は、プレビュー領域２３、対比領域２５、ＯＫボタン１５、キャンセルボタン１７、及び適用ボタン１８をさらに含む。
【００４２】
ボタン２１Ａには、アイコン作成画面２１の表示時（以下、「表示時」と記載する。）に設定されているカラーモード機能の印刷条件「カラー」が割り当てられる。ボタン２１Ｂには、表示時に設定されている集約機能の印刷条件「２ｉｎ１」が割り当てられる。ボタン２１Ｃには、表示時に設定されている両面／片面機能の印刷条件「片面」が割り当てられる。ボタン２１Ｄには、表示時に設定されているパンチ／ステープル機能の印刷条件「左２穴」が割り当てられる。ボタン２１Ｅには、表示時に設定されている拡大／縮小機能の印刷条件「２００％」が割り当てられる。ボタン２１Ｆには、表示時に設定されている用紙選択機能の印刷条件「Ａ４」が割り当てられる。
【００４３】
単位画像Ｕ０〜単位画像Ｕ５は、それぞれ、ボタン２１Ａ〜ボタン２１Ｆに割り当てられた印刷条件に対応する。単位画像Ｕ０〜単位画像Ｕ５の各々は、対応する印刷条件を表象する画像である。例えば、単位画像Ｕ０は、ボタン２１Ａに割り当てられた印刷条件を表象する画像である。
【００４４】
［アイコンＩａを作成するための画面の操作］
図３〜図７を参照して、アイコン作成画面２１の操作について説明する。ユーザーは、６個のボタン２１Ａ〜ボタン２１Ｆのうち、アイコンＩａの外観に反映させるＭ個の印刷条件に対応するＭ個のボタンをタップする。選択部３は、６個のボタン２１Ａ〜ボタン２１Ｆのうち、タップされたＭ個のボタンに対応するＭ個の印刷条件を選択する。
【００４５】
生成部５は、６個の単位画像Ｕ０〜単位画像Ｕ５のうち、選択部３が選択したＭ個の印刷条件と対応しているＭ個の単位画像に基づいて、アイコンＩａを生成する。具体的には、生成部５は、１個の印刷条件が選択された場合は、対応する１個の単位画像によってアイコンＩａを生成する。一方、生成部５は、複数の印刷条件が選択された場合は、対応する複数の単位画像を合成することによってアイコンＩａを生成する。
【００４６】
表示部８は、アイコンＩａをプレビュー領域２３に表示する。登録部７は、ＯＫボタン１５又は適用ボタン１８がタップされたことに応じて、つまり、アイコンＩａが確定したことに応じて、ボタン２１Ａ〜ボタン２１Ｆに対応する６個の印刷条件とアイコンＩａとを関連づけて、記憶部１１に登録（格納）する。
【００４７】
登録部７は、アイコンＩａが生成されて確定するたびに、アイコンＩａを記憶部１１に登録（格納）するため、記憶部１１には、様々なアイコンＩａが蓄積される。以下、記憶部１１に蓄積されたアイコンＩａ、つまり、登録済みのアイコンＩａを説明する場合は、アイコンＩａをアイコンＩｂと記載する。
【００４８】
表示部８は、アイコンＩｂを対比領域２５に表示する。従って、ユーザーは、アイコンＩｂを見ながら新たなアイコンＩａを作成できる。
【００４９】
図４に示すように、本実施形態２では、ユーザーが、アイコンＩａに関連付けられる６個の印刷条件のうち、３個の印刷条件（「カラー」、「片面」、及び「左２穴」）を選択して、選択した３個の印刷条件をアイコンＩａの外観に反映させる例を説明する。つまり、Ｎ＝６、Ｍ＝３である。なお、図４において、白丸は選択されたことを意味する。
【００５０】
図７に戻って、３個の印刷条件（「白黒」、「片面」、及び「左２穴」）が選択されるため、生成部５は、３個の印刷条件に対応する３個の単位画像Ｕ０、単位画像Ｕ２、及び単位画像Ｕ３を合成して、単数のアイコンＩａを生成する。そして、登録部７は、６個の印刷条件（「カラー」、「２ｉｎ１」、「片面」、「左２穴」、「２００％」、及び「Ａ４」）とアイコンＩａとを関連付けて、記憶部１１にアイコンＩａを登録（格納）する。
【００５１】
［アイコンＩａを構成する単位画像］
図３及び図８を参照して、アイコンＩａを構成する単位画像について説明する。図８は、印刷機能と印刷条件と識別情報と単位画像との関係を示す図である。印刷条件の各々には、印刷条件を識別するためのユニークな識別情報が割り当てられる。複数の印刷条件は、それぞれ、複数の単位画像と対応している。単位画像は、対応する印刷条件を表象する画像である。記憶部１１には、複数の識別情報と複数の単位画像とが関連付けられて格納されている。
【００５２】
記憶部１１に格納された単位画像は、生成部５により使用される。具体的には、生成部５は、選択部３が選択した印刷条件に割り当てられた識別情報に関連付けられた単位画像を記憶部１１から取得する。生成部５は、選択部３が１個の印刷条件を選択した場合は、１個の単位画像を取得し、その単位画像からアイコンＩａを生成する。一方、生成部５は、選択部３が複数の印刷条件を選択した場合は、複数の単位画像を取得し、それらの単位画像を合成してアイコンＩａを生成する。
【００５３】
［アイコンＩｂ（アイコンＩａ）の起動］
図３を参照して、アイコンＩｂの起動について説明する。表示部８はアイコンＩｂを表示する。アイコンＩｂの外観にはＭ個の印刷条件が反映されている。設定部１０は、アイコンＩｂが起動されたことに応じて、アイコンＩｂに関連付けられているＮ個（＞Ｍ個）の印刷条件を印刷装置に設定する。印刷装置は、設定されたＮ個の印刷条件に従って印刷処理を実行する。なお、アイコンＩｂの起動の例は、図１を参照して説明した実施形態１に係るアイコンＩａの起動の例と同様である。
【００５４】
以下、第１変形例〜第３変形例を説明する。
【００５５】
［第１変形例］
図３を参照して、本発明の実施形態２の第１変形例に係る表示装置１について説明する。実施形態２では、選択部３は、入力部９が受け付けた入力に従って、つまり、ユーザーからの入力に従って、印刷条件を選択した。ただし、第１変形例では、選択部３は、Ｎ個の印刷条件のうち、ユーザーからの入力に従った印刷条件だけでなく、予め定められた条件に従った印刷条件を自動的に選択する。なお、ユーザーによって選択された印刷条件の数と自動的に選択された印刷条件の数との和はＭである。
【００５６】
予め定められた条件に従った印刷条件の第１例〜第３例を説明する。第１例では、予め定められた条件に従った印刷条件は、アイコンＩａの外観に反映する必須の印刷条件として予め定められた印刷条件である。例えば、予め定められた印刷条件は、初期値からの変更の頻度が多い印刷条件である。又は、例えば、予め定められた印刷条件は、初期値からの変更の頻度が少ない印刷条件である。
【００５７】
第２例では、予め定められた条件に従った印刷条件は、Ｎ個の印刷条件のうち、初期値から変更された印刷条件である。第３例では、予め定められた条件に従った印刷条件は、記憶部１１に蓄積されたアイコンＩｂの外観に反映された印刷条件以外の印刷条件である。第３例において、記憶部１１には、ユーザーごとにアイコンＩｂが蓄積されてもよい。この場合、予め定められた条件に従った印刷条件は、アイコンＩａを作成中のユーザーのアイコンＩｂの外観に反映された印刷条件以外の印刷条件である。
【００５８】
第１変形例によれば、選択部３は、Ｎ個の印刷条件のうち入力部９が受け付けた入力に従った印刷条件と予め定められた条件に従った印刷条件とをＭ個の印刷条件として選択する。従って、ユーザーは、所望の印刷条件だけを選択してアイコンＩａの外観に反映させることができる一方、自動的に選択された印刷条件もアイコンＩａの外観に反映される。その結果、ユーザーのアイコンＩａの作成の自由度を確保しつつ、アイコンＩａを作成するユーザーの負担を軽減できる。
【００５９】
［第２変形例］
図３を参照して、本発明の実施形態２の第２変形例に係る表示装置１について説明する。実施形態２では、選択部３は、入力部９が受け付けた入力に従って、印刷条件を選択した。ただし、第２変形例では、選択部３は、Ｎ個の印刷条件のうち予め定められた条件に従った印刷条件をＭ個の印刷条件として選択する。従って、Ｎ個の印刷条件からＭ個の印刷条件の全てが自動的に選択される。予め定められた条件に従った印刷条件の例は、第１変形例と同様であり、説明を省略する。
【００６０】
第２変形例によれば、Ｍ個の印刷条件が自動的に選択され、アイコンＩａが生成される。従って、ユーザーがアイコンＩａを作成する手順を簡略化できる。
【００６１】
［第３変形例］
図３を参照して、本発明の実施形態２の第３変形例に係る表示装置１について説明する。実施形態２では、単位画像は予め記憶部１１に格納され、単位画像に基づいてアイコンＩａが生成された。ただし、第３変形例では、流用によりアイコンＩａを生成する。具体的には次の通りである。
【００６２】
記憶部１１には、印刷後の仕上がり状態を示す画像が格納される。従って、表示部８は、印刷後の仕上がり状態を示す画像を表示できる。
【００６３】
生成部５は、記憶部１１に格納された印刷後の仕上がり状態を示す画像を加工して（流用して）、選択部３が選択した印刷条件を表象するアイコンＩａを生成する。
【００６４】
第３変形例によれば、既存の画像を流用できるため、アイコンＩａを生成するための単位画像を新規に用意する手間を削減できる。
【００６５】
以上、図３〜図８を参照して説明したように、本実施形態２によれば、単数のアイコンＩａにＮ個の印刷条件（複数の印刷条件）が関連付けられる一方、単数のアイコンＩａの外観に反映される印刷条件は、Ｎ個の印刷条件のうちＭ個の印刷条件（一部の印刷条件）である（Ｎ＞Ｍ）。従って、多くの印刷条件をアイコンＩａに関連付けつつ、アイコンＩａのデザインの複雑化を抑制できる。その結果、アイコンＩａの誤認を抑制できる。
【００６６】
また、図４及び図７を参照して説明したように、本実施形態２によれば、表示部８は、アイコンＩａが生成される前に、Ｎ個の印刷条件を表示する。そして、選択部３は、入力部９が受け付けた入力に従って、Ｍ個の印刷条件を選択する。従って、ユーザーは、Ｎ個の印刷条件を見ながら、アイコンＩａを他のアイコンから識別するために不可欠なＭ個の印刷条件だけを入力部９を介して選択できる。その結果、ユーザーごとにアイコンＩａの外観を最適化でき、アイコンＩａのデザインの複雑化を抑制できる。
【００６７】
さらに、図７を参照して説明したように、本実施形態２によれば、Ｎ個の印刷条件は、それぞれ、Ｎ個の単位画像Ｕ０〜単位画像Ｕ５と対応している。表示部８は、Ｎ個の印刷条件が表示されるアイコン作成画面２１に、Ｎ個の単位画像Ｕ０〜単位画像Ｕ５を表示する。従って、ユーザーは、アイコンＩａを構成する成分の候補である単位画像Ｕ０〜単位画像Ｕ５を見ながら、入力部９を介して所望の印刷条件を選択できる。その結果、ユーザーにとってより最適化された外観のアイコンＩａを作成できる。
【００６８】
さらに、図７を参照して説明したように、本実施形態２によれば、表示部８は、Ｎ個の印刷条件が表示されるアイコン作成画面２１に、登録済みのアイコンＩｂを表示する。従って、ユーザーは、登録済みのアイコンＩｂの外観に反映された印刷条件を意識しながら、アイコンＩａの外観に反映する印刷条件を選択できる。
【００６９】
さらに、図３を参照して説明したように、設定部１０は、アイコンＩｂに関連付けて登録された複数の印刷条件（Ｎ個の印刷条件）を印刷装置に設定する。従って、ユーザーはアイコンＩｂを起動することにより、簡易に複数の印刷条件を印刷装置に設定できる。また、アイコンＩｂを登録しておくことで、ユーザーは、印刷の度に同じ複数の印刷条件の設定を行う作業を省略できる。従って、設定ミスを回避でき、また、ユーザーの操作時間を短縮できる。また、アイコンＩｂの外観には、アイコンＩｂに関連付けられたＮ個の印刷条件のうちＭ個の印刷条件が反映される。従って、設定内容の確認のための手間を軽減でき、また、起動するアイコンＩｂの選択ミスを抑制できる。また、Ｍ個の印刷条件はアイコンＩｂの外観に反映されるため、ユーザーにとって、アイコンＩｂに関連付けられたＮ個の全ての印刷条件を記憶する負担が軽減される。
【００７０】
（実施形態３）
図１、図３、図７、図９、及び図１０を参照して、本発明の実施形態３に係る画像形成装置５００について説明する。図９は、画像形成装置５００を示すブロック図である。図１０は、画像形成装置５００の概略を説明するための模型的断面図である。
【００７１】
画像形成装置５００は、制御部１１０、記憶部１２０、原稿搬送部２１０、画像読取部２２０、タッチパネル２３０、表示部２４０、給紙部２５０、搬送部２６０、画像形成部２７０、及び定着部２８０を備える。記憶部１２０は、主記憶装置（例えば、半導体メモリー）及び補助記憶装置（例えば、半導体メモリー、又はハードディスクドライブ）を含む。
【００７２】
制御部１１０は、画像形成装置５００の構成の全体を制御する。具体的には、制御部１１０が、記憶部１２０に格納されたコンピュータープログラムを実行することにより、原稿搬送部２１０、画像読取部２２０、タッチパネル２３０、表示部２４０、給紙部２５０、搬送部２６０、画像形成部２７０、及び定着部２８０を制御する。制御部１１０は、例えば、ＣＰＵ（Ｃｅｎｔｒａｌ  Ｐｒｏｃｅｓｓｉｎｇ  Ｕｎｉｔ）である。タッチパネル２３０は、例えば、表示部２４０の表示面上に配置される。
【００７３】
制御部１１０は、図１に示した選択部３、生成部５、及び登録部７として機能する。表示部２４０は、図１に示した表示部８として機能する。従って、制御部１１０及び表示部２４０は、実施形態１に係る表示装置１を構成する。
【００７４】
又は、制御部１１０は、図３に示した設定部１０、選択部３、生成部５、及び登録部７として機能する。記憶部１２０は、図３に示した記憶部１１として機能する。タッチパネル２３０は、図３に示した入力部９として機能する。表示部２４０は、図１に示した表示部８として機能する。従って、制御部１１０、記憶部１２０、タッチパネル２３０、及び表示部２４０は、実施形態２に係る表示装置１（第１変形例〜第３変形例を含む。）を構成する。
【００７５】
画像形成装置５００は、画像形成部２７０を備えており、印刷機能を有する。従って、画像形成装置５００には、表示装置１によって各種の印刷条件が設定される。
【００７６】
具体的には、表示部２４０は、アイコンＩａ（アイコンＩｂ）を表示する。アイコンＩａが起動されたことに応じて、アイコンＩａに関連付けられている複数の印刷条件が画像形成装置５００に設定される。画像形成装置５００は、設定された複数の印刷条件に従って、印刷処理、つまり、画像形成処理を実行する。なお、アイコンＩａの起動の例は、図１を参照して説明した実施形態１に係るアイコンＩａの起動の例と同様である。
【００７７】
原稿搬送部２１０は、画像読取部２２０に向けて原稿を搬送する。画像読取部２２０は、原稿の画像を読み取って画像データを生成する。給紙部２５０は、給紙カセット５１及び手差しトレイ５２を含む。給紙カセット５１はシートＴを積載する。シートＴは、給紙カセット５１又は手差しトレイ５２から搬送部２６０に送り出される。シートＴは、例えば、普通紙、再生紙、薄紙、厚紙、及びＯＨＰ（Ｏｖｅｒｈｅａｄ  Ｐｒｏｊｅｃｔｏｒ）シートである。
【００７８】
搬送部２６０は、画像形成部２７０にシートＴを搬送する。画像形成部２７０は、設定された印刷条件に従って、シートＴに画像を形成（印刷）する。画像形成部２７０は、感光体ドラム７１、帯電部７２、露光部７３、現像部７４、転写部７５、クリーニング部７６、及び除電部７７を含む。具体的には、画像形成部２７０は、次のようにしてシートＴに画像を形成する。
【００７９】
帯電部７２は感光体ドラム７１の表面を帯電する。露光部７３は、画像データに基づく光を感光体ドラム７１の表面に照射する。その結果、感光体ドラム７１の表面には画像データに対応した静電潜像が形成される。画像データは、画像読取部２２０によって生成された画像データ、記憶部１２０に格納された画像データ、又はネットワーク（不図示）を経由して外部装置（不図示）から受信した画像データである。
【００８０】
現像部７４は、感光体ドラム７１の表面に形成された静電潜像を現像し、感光体ドラム７１の表面にトナー像を形成する。シートＴが感光体ドラム７１と転写部７５との間に供給されることにともなって、転写部７５はシートＴにトナー像を転写する。
【００８１】
トナー像が転写されたシートＴは定着部２８０に向けて搬送される。定着部２８０は、シートＴを加熱及び加圧して、シートＴにトナー像を定着させる。そして、排出ローラー対６１はシートＴを排出トレイ６２に排出する。クリーニング部７６は、感光体ドラム７１の表面に残留しているトナーを除去する。除電部７７は、感光体ドラム７１の表面の残留電荷を除去する。
【００８２】
以上、図１、図３、図７、図９、及び図１０を参照して説明したように、本実施形態３によれば、図１及び図２を参照して説明した実施形態１と同様の表示装置１を備える。従って、本実施形態３では、実施形態１と同様の効果を奏する。又は、本実施形態３によれば、図３〜図８を参照して説明した実施形態２及び変形例（第１変形例〜第３変形例）と同様の表示装置１を備える。従って、本実施形態３では、実施形態２及び変形例と同様の効果を奏する。
【００８３】
以上、図１〜図１０を参照して本発明の実施形態を説明した。ただし、本発明は、上記の実施形態に限られるものではなく、その要旨を逸脱しない範囲で種々の態様において実施することが可能である。
【産業上の利用可能性】
【００８４】
本発明は、印刷装置（例えば、プリンター、複写機、又は複合機）、及び印刷装置に接続されるコンピューター（例えば、パーソナルコンピューター）の分野に利用可能である。
【符号の説明】
【００８５】
１    表示装置
３    選択部
５    生成部
７    登録部
８    表示部
９    入力部
１０    設定部
１１    記憶部
１１０    制御部
１２０    記憶部
２１０    原稿搬送部
２２０    画像読取部
２３０    タッチパネル
２４０    表示部
２５０    給紙部
２６０    搬送部
２７０    画像形成部
２８０    定着部
５００    画像形成装置
Ｉａ    アイコン
Ｉｂ    アイコン
【図１】
2015087862.tif 000003
【図２】
2015087862.tif 000004
【図３】
2015087862.tif 000005
【図４】
2015087862.tif 000006
【図５】
2015087862.tif 000007
【図６】
2015087862.tif 000008
【図７】
2015087862.tif 000009
【図８】
2015087862.tif 000010
【図９】
2015087862.tif 000011
【図１０】
2015087862.tif 000012